(57)【特許請求の範囲】
【請求項１】
支持位置（ＳＰ）とアイドル位置（ＩＰ）とを有する少なくとも１つの支持要素（ＳＥ）と、
該支持要素（ＳＥ）が前記支持位置（ＳＰ）にあるときには穴明け工具（９）に隣接するように動かされることが可能になる、前記支持要素（ＳＥ）に設けられた少なくとも１つの接触面（３１）と、
前記支持位置（ＳＰ）と前記アイドル位置（ＩＰ）との間で前記支持要素（ＳＥ）を動かすための転移運動をもたらす少なくとも１つのアクチュエータ（２３）と、
を含む支持体（Ｓ）において、
前記支持体（Ｓ）の前記支持要素（ＳＥ）が、少なくとも穴明け中にダスト除去システムの吸引ハウジング（１５）内部に配置され、前記支持要素（ＳＥ）が前記吸引ハウジング（１５）の内面によって取り囲まれることを特徴とする、穴明け工具（９）を支持するための支持体（Ｓ）。
【請求項２】
前記支持要素（ＳＥ）は前記吸引ハウジング（１５）に対して回転可能に配置されていて、前記アクチュエータ（２３）が、前記吸引ハウジング（１５）の内部の前記支持要素（ＳＥ）を前記支持位置（ＳＰ）及び前記アイドル位置（ＩＰ）に旋回させるのを可能にすることを特徴とする、請求項１に記載の支持体（Ｓ）。
【請求項３】
前記支持体（Ｓ）が単一の支持要素（ＳＥ）を含むことを特徴とする、請求項１又は２に記載の支持体（Ｓ）。
【請求項４】
前記支持要素（ＳＥ）が開口を備えており、該開口を通って前記穴明け工具（９）が配置されるのが可能になり、前記穴明け工具（９）は前記支持要素（ＳＥ）によって取り囲まれることを特徴とする、請求項３に記載の支持体（Ｓ）。
【請求項５】
前記支持要素（ＳＥ）が少なくとも２つの接触面（３１ａ，３１ｂ）を備え、該接触面（３１ａ，３１ｂ）が剛性的な機械的結合によって互いに結合されていることを特徴とする、請求項３又は４に記載の支持体（Ｓ）。
【請求項６】
前記支持要素（ＳＥ）が環状形態を有していることを特徴とする、請求項３〜５の何れか一項に記載の支持体（Ｓ）。
【請求項７】
前記支持要素（ＳＥ）がスリーブ状形態を有しており、これにより前記支持要素（ＳＥ）が前面（２９）と端面（３０）と側面（２８）とを有し、
前記前面（２９）及び端面（３０）は前記スリーブの横方向で壁厚を有し、前記側面（２８）は前記スリーブの長手方向で長さを有し、
前記スリーブ状支持要素（ＳＥ）の長さは、前記支持要素（ＳＥ）の面（２９，３０）の壁厚の少なくとも２倍であり、
前記支持要素（ＳＥ）の前面（２９）は、前記支持要素（ＳＥ）がアイドル位置（ＩＰ）にあるときに吸引流方向にある、ことを特徴とする、請求項６に記載の支持体（Ｓ）。
【請求項８】
前記支持要素（ＳＥ）が第１接触面（３１ａ）及び第２接触面（３１ｂ）を備えており、該第１接触面及び該第２接触面が該支持要素（ＳＥ）の互いに対向する側に配置されており、
前記支持要素（ＳＥ）の側面（２８）が第１開口（３２ａ）及び第２開口（３２ｂ）を備え、該第１開口（３２ａ）及び該第２開口（３２ｂ）が該スリーブ状支持要素（ＳＥ）の互いに対向する側に配置されており、
前記第１開口（３２ａ）は前記支持要素（ＳＥ）の前面（２９）に向かって開き、
前記第２開口（３２ｂ）は前記支持要素（ＳＥ）の後面（３０）に向かって開き、
前記第１開口（３２ａ）は第１接触面（３１ａ）として作用し、前記第２開口（３２ｂ）は第２接触面（３１ｂ）として作用する、ことを特徴とする、請求項７に記載の支持体（Ｓ）。
【請求項９】
前記支持要素（ＳＥ）が２つの回転軸（２７）によって吸引ハウジング（１５）に支持されており、前記回転軸が互いに対向する側に配置され、共通の中心軸線を有している
ことを特徴とする、請求項２〜８までの何れか一項に記載の支持体（Ｓ）。
【請求項１０】
前記支持要素（ＳＥ）が水平方向位置と鉛直方向位置との間で回転し、
前記支持要素（ＳＥ）の前記水平方向位置が前記アイドル位置（ＩＰ）として作用し、前記直方向位置が前記支持位置（ＳＰ）として作用する、ことを特徴とする、請求項２〜９の何れか一項に記載の支持体（Ｓ）。
【請求項１１】
前記アクチュエータ（２３）が圧力媒体作動式シリンダであることを特徴とする、請求項１〜８の何れか一項に記載の支持体（Ｓ）。
【請求項１２】
前記支持体（Ｓ）が、前記アクチュエータ（２３）の転移運動を前記支持要素（ＳＥ）へ伝達するための少なくとも１つの転移要素（２４）を含み、
前記転移要素（２４）がクランク状形態を有していることを特徴とする、請求項１又は１１に記載の支持体（Ｓ）。
【請求項１３】
請求項１〜１２までの何れか一項に記載の支持体（Ｓ）を使用し、
カラーリング中に穴明け工具（９）を支持することを特徴とする、支持体（Ｓ）の使用方法。
【請求項１４】
岩石穴明けユニットであって、
送りビーム集成体（１９）と、岩石穴明け機械（６）と、送り装置（７）と、吸引ハウジング（１５）と、支持体（Ｓ）と、少なくとも１つの接触要素（１８）とを含み、
前記岩石穴明け機械（６）が前記送りビーム集成体（１９）に支持されていて、前記岩石穴明け機械（６）に接続可能な穴明け工具（９）を回転させるための回転装置（１２）を少なくとも含み、
前記送り装置（７）が穴明け方向及び戻り方向に岩石穴明け機械（６）を動かすために設けられ、
前記吸引ハウジング（１５）が前記送りビーム集成体（１９）の遠位端部に配置され、前記吸引ハウジング（１５）は第１開口（２５）と第２開口（２６）とを含み、該第１開口及び該第２開口を通して、前記穴明け工具（９）が配置されるのが可能にされ、前記第１開口（２５）は前記岩石穴明け機械（６）に面し、前記第２開口（２６）は被穴明け面に面し、前記吸引ハウジング（１５）は該吸引ハウジング（１５）をダスト除去システムに接続するための少なくとも１つの放出ポート（１７）を含み、
前記支持体（Ｓ）が前記送りビーム集成体（１９）の遠位端部に配置されていて、前記穴明け工具（９）の支持を可能にし、
前記少なくとも１つの接触要素（１８）が、前記送りビーム集成体（１９）の最も外側の端部に配置され、前記岩石穴明けユニット（２）が被穴明け面に支持されるのを可能にする岩石穴明けユニットにおいて、
前記支持体（Ｓ）が請求項１〜１２までの何れか一項に記載のものであり、
前記支持体（Ｓ）が、前記送りビーム集成体（１９）の前記接触要素（１８）と、前記吸引ハウジング（１５）の前記第１開口（２５）との間に配置されていることを特徴とする、岩石穴明けユニット。
【請求項１５】
前記吸引ハウジング（１５）は前記送りビーム集成体（１９）に対して相対運動可能であり、
前記支持体（Ｓ）は、前記吸引ハウジング（１５）内部に継続的に位置し、前記吸引ハウジング（１５）と一緒に動かされるように配置されていることを特徴とする、請求項１４に記載の岩石穴明けユニット。
【請求項１６】
前記吸引ハウジング（１５）が前記送りビーム集成体（１９）に対して相対運動可能であり、
前記吸引ハウジング（１５）がアイドル位置と作業位置とを有し、該アイドル位置では前記吸引ハウジングは前記作業位置よりも前記接触要素（１８）からの距離が大きく、
前記支持体（Ｓ）が前記送りビーム集成体（１９）の遠位端部に取り付けられ、前記接触要素（１８）と前記吸引ハウジング（１５）との間に配置されており、
前記吸引ハウジング（１５）が、前記接触要素（１８）により近い作業位置へ動かされると、前記支持体（Ｓ）は吸引ハウジング（１５）によって取り囲まれることを特徴とする、請求項１４に記載の岩石穴明けユニット。
【請求項１７】
前記吸引ハウジング（１５）が、剛性ベースと、前記吸引ハウジング（１５）の最も外側の端部に位置する可撓性接触部分（３６）とを含み、前記第１開口（２５）が前記該剛性ベースによって形成され、前記第２開口（２６）が前記可撓性接触部分（３６）によって形成されていることを特徴とする、請求項１４〜１６までの何れか一項に記載の岩石穴明けユニット。
【請求項１８】
カラーリング方法であって、
岩石穴明けユニット（２）によってドリル穴を形成し、
前記岩石穴明けユニット（２）の岩石穴明け機械（６）に接続された穴明け工具（９）を少なくとも１つの支持体（Ｓ）によって支持し、
生成された穴明けダスト及び削り屑を、内部で吸引力が形成される少なくとも１つの吸引ハウジング（１５）によって除去するカラーリング方法において、
少なくともカラーリング中に吸引ハウジング（１５）によって少なくとも部分的に前記支持体（Ｓ）を取り囲み、
前記支持体（Ｓ）と前記吸引ハウジング（１５）との相互の相対運動を生じさせ、前記穴明け工具（９）を支持するための支持位置（ＳＰ）及びアイドル位置（ＩＰ）へ前記支持体（Ｓ）を動かすことを特徴とする、カラーリング方法。
【発明の詳細な説明】
【技術分野】
【０００１】
本発明は削岩（ｒｏｃｋ  ｄｒｉｌｌｉｎｇ）に使用される穴明け工具（ｄｒｉｌｌｉｎｇ  ｔｏｏｌ）の支持体に関する。支持体は送りビームの前端部に配置され、特に穴明けのカラーリング(ｃｏｌｌａｒｉｎｇ)中において工具を支持するために使用される。支持体は支持面を有しており、支持面は工具の外面に近接して設置することができる。支持体は支持位置とアイドル位置とを有する。これらの位置の間で、支持体をアクチュエータによって動かすことができる。
【０００２】
本発明はさらに、穴明け工具が支持体によって支持されるカラーリング方法に関する。
【０００３】
本発明の分野は独立請求項の前提部分において、より具体的に規定されている。
【背景技術】
【０００４】
鉱山及びその他の作業現場において、穴明け機械は岩石表面及び土壌内に穴を明けるために使用される。穴明け機械は、穴明け中に穴明け工具を回転させるための回転装置を有する。数多くの穴明け用途において、穴明け機械はまた、工具への衝撃パルスを発生させるためのパーカッション装置を含んでいる。穴明け工具は、支持体によって穴明け中に支持されることができる。しかし、現在の支持体にはいくつかの欠点がある。
【発明の概要】
【発明が解決しようとする課題】
【０００５】
本発明の目的は、穴明け工具を支持するための新規の改善された支持体を提供することである。さらなる目的は、新規の改善されたカラーリング方法を提供することである。
【課題を解決するための手段】
【０００６】
本発明による支持体は、支持体の支持要素が、少なくとも穴明け中にダスト除去システムの吸引ハウジング内部に配置され、これにより支持要素が吸引ハウジングの内面によって取り囲まれることを特徴とする。
【０００７】
本発明による方法は、少なくともカラーリング中に吸引ハウジングによって支持体を取り囲み、そして穴明け工具を支持するための支持位置へ、そしてアイドル位置へ支持体を動かすために、支持体と吸引ハウジングとの相互の相対運動を生じさせることを特徴とする。
【０００８】
開示された解決手段の意図は、穴明け工具が、送りビームの前部に配置された支持体で支持されることである。送りビームの前部はまた、ダスト除去システムの一部である吸引ハウジングを含んでいる。支持体は、少なくとも穴明け中には吸引ハウジング内部に位置するように配置される。すなわち、支持要素は少なくとも穴明け中には吸引ハウジング内部にあり、吸引ハウジングの内面によって取り囲まれる。
【０００９】
開示された解決手段の利点は、支持体を送りビームの最前端に近接して配置し得ることである。支持体と穴明け工具のドリルビットとの間隔が短いので、穴明け工具をカラーリング穴明けのために適切に支持することができる。改善された工具支持体は穴明け精度を改善し、工具の損傷を防止することができる。
【００１０】
一実施態様によれば、支持要素は吸引ハウジング内部に継続的に位置している。支持要素は、アイドル位置にあるときに吸引流を妨げないように設計されていてよい。
【００１１】
一実施態様によれば、支持要素は吸引ハウジングに対して回転可能に配置されていて、アクチュエータが、吸引ハウジング内部の支持要素を支持位置及びアイドル位置に旋回させるのを可能にする。支持体は、カラーリング穴明けの間、支持位置へ旋回させられるようになっている。穴明けが適切に開始されると、支持体の必要性が減り、支持体をアイドル位置へ旋回させることができる。
【００１２】
一実施態様によれば、支持要素は穴明け中にのみ吸引ハウジング内部に位置する。
【００１３】
一実施態様によれば、支持要素は少なくとも穴明け中に吸引ハウジング内部に位置している。吸引ハウジングは、岩石穴明け装置に面した第１の上端部と、反対方向に面した第２の下端部とを有している。穴明け中、支持要素は、吸引ハウジングの内面によって仕切られた空間内部にある。さらに、吸引ハウジングの軸方向で見ると、支持要素は吸引ハウジングの上端部と下端部との間に配置されている。
【００１４】
一実施態様によれば、吸引ハウジングは、岩石穴明け装置に面した上側の第１端部と、反対方向に面した下側の第２端部とを有している。吸引ハウジングの第１端部は、吸引ハウジング内部の空間を仕切る上側の内面を含んでいる。支持要素は、吸引ハウジングの上側の内面に対して別個の要素である。支持要素は、上述の上側の内面と、吸引ハウジングの第２開口との間に配置されている。
【００１５】
一実施態様によれば、吸引ハウジングは、少なくとも穴明け中にその内部に支持要素が配置される空間を形成する一体的なただ１つの要素である。
【００１６】
一実施態様によれば、支持体は２つ又は３つ以上の支持エレメントを含む。これらの支持要素は、工具のための支持を可能にするために互いに向かって動くように配置されており、またアイドル位置に向かって反対方向に動くように配置されている。支持要素は、例えば穴明け工具の長手方向軸線に対して横方向に線状に動かされてよい。さらに、支持要素は、穴明け工具に面した湾曲接触面を有していてよい。
【００１７】
一実施態様によれば、支持体はただ１つの支持要素を含む。
【００１８】
一実施態様によれば、支持体はただ１つの支持要素を含み、支持要素は開口を備えており、開口を通って穴明け工具が配置されるのが可能になり、これにより、穴明け工具は支持要素によって取り囲まれる。支持要素は穴明け工具を取り囲む連続的な要素であってよく、或いは別の解決手段では、支持要素は周囲構造内にギャップを含んでいてよい。
【００１９】
一実施態様によれば、支持体はただ１つの支持要素を含み、支持要素は少なくとも２つの接触面を備えている。支持面は剛性的な機械的結合によって互いに結合されている。
【００２０】
一実施態様によれば、支持要素は環状形態を有している。吸引ハウジング内部の吸引流は、吸引ハウジングの中央部分内で強力である。支持要素が環状構造を有する場合、これはアイドル位置にあるときには吸引ハウジングのエッジゾーンに位置決めされ、これにより支持要素は吸引流を妨げることがない。環状構造の更なる利点は、これが強い単純な構造を可能にすることである。
【００２１】
一実施態様によれば、支持要素はスリーブ状形態を有している。スリーブはリング形断面を有してよく、ひいては円形又は楕円形の周囲を含んでよい。スリーブ状支持要素は前面と端面と側面とを有している。前面及び端面はスリーブの横方向で壁厚を有し、側面はスリーブの長手方向で長さを有している。さらに、スリーブ状支持要素の長さは、支持要素の面の壁厚の少なくとも２倍である。支持要素の前面は、支持要素がアイドル位置にあるときに吸引流方向にある。スリーブの前端部の面積は著しく小さく、これにより支持要素はアイドル位置にあるときには吸引流を妨げることはない。しかし支持要素に必要な剛さを与えるようにスリーブの長手方向長さを寸法設定することができるので、スリーブは剛性であってよい。スリーブの長手方向寸法は、支持要素がアイドル位置にあるときに吸引ハウジング内部の吸引流に対して流れ抵抗を引き起こすことはない。
【００２２】
一実施態様によれば、支持要素はスリーブ状形態を有しており、そして支持要素は第１接触面及び第２接触面を備えており、第１接触面及び第２接触面はスリーブの互いに対向する側に配置されている。スリーブの側面は第１開口及び第２開口を備えている。これらの開口は、第１接触面及び第２接触面として役立つ。第１開口及び第２開口がスリーブ状支持要素の互いに対向する側に配置されている。第１開口は支持要素の前面に向かって開いており、第２開口は支持要素の後面に向かって開いている。第１及び第２開口は長手方向溝であってよい。或いは、第１及び第２開口は切欠きであってもよい。溝又は切欠きは湾曲した底面を有していてよく、この底面は接触面として役立つ。接触面が湾曲していることにより、工具と接触面との間に生じ得る接触が構成部分間に点荷重を招くことがなく、より大きい接触面が存在し得る。
【００２３】
一実施態様によれば、支持要素は環状形態を有している。従って、支持要素は例えばスリーブ状形状を有していてよい。さらに、支持要素は、穴明け工具及び穴明けパラメータを測定するための１つ又は２つ以上のセンサ又は測定装置を備えていてよい。支持要素は、穴明け工具が支持要素によって物理的に導かれる状況において、穴明け工具から支持要素へ導かれる力を割り出す測定手段を含むことができる。このタイプの測定は、支持要素が支持位置にあるときに実施してよい。支持要素が穴明け工具の周りの均一な構造であるため、環状支持要素に測定コイルを備えることが可能である。測定コイルは、例えば穴明け工具内で伝達される衝撃パルスを測定するのを可能にする。このタイプの測定は、支持要素がアイドル位置にあるときに実施してよい。
【００２４】
一実施態様によれば、支持要素は２つの回転軸によって吸引ハウジングに支持されており、回転軸が互いに対向する側に配置され、共通の中心軸線を有している。２つの回転軸は支持要素の剛性的な支持を保証する。
【００２５】
一実施態様によれば、支持要素はただ１つの回転軸によって吸引ハウジングに支持されている。回転軸は十分に剛性であるように寸法設定することができる。
【００２６】
一実施態様によれば、支持要素が水平方向位置と鉛直方向位置との間で回転させられる。支持要素の水平方向位置はアイドル位置として役立ち、そして鉛直方向位置が支持位置として役立つ。支持要素は９０°旋回させてよい。
【００２７】
一実施態様によれば、アクチュエータは圧力媒体作動式シリンダである。典型的には、岩石穴明けユニットにおいては液圧流体及び圧縮空気が利用可能である。圧力媒体作動式アクチュエータを使用するために、特別な配置は必要でない。
【００２８】
一実施態様によれば、アクチュエータは圧力媒体作動式シリンダである。シリンダは信頼性高い低廉な力装置である。
【００２９】
一実施態様によれば、アクチュエータは圧力媒体作動式モータである。
【００３０】
一実施態様によれば、アクチュエータは電動モータである。
【００３１】
一実施態様によれば、アクチュエータは電動直線力部材である。
【００３２】
一実施態様によれば、支持体は、アクチュエータの転移運動を支持要素へ伝達するための少なくとも１つの転移要素を含む。転移要素はクランク状形態を有していてよい。
【００３３】
一実施態様によれば、支持体は、岩石穴明けユニットの送りビームの遠位端部に配置されている。送りビームの最も外側の端部には、被穴明け面に送りビームを支持するための接触要素が位置している。送りビームの接触要素は爪、パッド、支持プレート、又は任意の他の物理的支持要素であってよい。これは送りビームの最も外側の端部を形成する。吸引ハウジングは送りビームに配置されており、開口を含んでいる。開口は、これを通して穴明け工具が送られるのを可能にする。支持体は、送りビーム集成体の接触要素と吸引ハウジングの上側開口との間に配置されている。
【００３４】
一実施態様によれば、吸引ハウジングは送りビーム集成体に対して相対運動可能である。支持体は吸引ハウジング内部に継続的に位置している。従って、支持体は吸引ハウジングと一緒に動かされるように配置されている。
【００３５】
一実施態様によれば、吸引ハウジングは送りビーム集成体に対して相対運動可能である。吸引ハウジングはアイドル位置と作業位置とを有しており、そしてアイドル位置では、吸引ハウジングは作業位置よりも接触要素からの距離が大きい。支持体は送りビーム集成体の遠位端部に取り付けられていて、接触要素と吸引ハウジングとの間に配置されている。吸引ハウジングが接触要素により近い作業位置へ動かされると、支持体は吸引ハウジングによって取り囲まれる。
【００３６】
一実施態様によれば、吸引ハウジングは剛性ベースと、吸引ハウジングの最も外側の端部に位置する可撓性接触部分とを含む。従って、第１開口は剛性ベースによって形成され、そして第２開口は可撓性接触部分によって形成されている。可撓性接触部分は、被穴明け面に定着し、ダストが周囲空気へ逃げるのを防止する。可撓性接触部分は、可撓性材料、例えばゴム又はプラスチックから形成することができる。
【００３７】
一実施態様によれば、支持体はパーカッション穴明けに使用されるように意図される。
【００３８】
一実施態様によれば、支持体は回転穴明けに使用されるように意図される。
【００３９】
一実施態様によれば、支持体は表面穴明け装置に使用されるように意図される。
【００４０】
一実施態様によれば、支持体は地下穴明け装置に使用されるように意図される。
【００４１】
一実施態様によれば、支持要素は吸引ハウジング内部で吸引流を導くための流れガイドとして役立つように意図される。支持要素は吸引ハウジングの放出開口に向かって流れを導くことができる。これとは別に、又はこれに加えて、支持要素は、穴明け工具の外面から離れる方向に吸引流又は少なくともその一部を導くように形成されてもよい。これにより、吸引流の掘削破砕片の摩耗攻撃が低減され、穴明け工具の寿命を延ばすことができる。支持要素の幾何学的形状を、所望の案内が達成されるように設計してよい。これとは別に、又はこれに加えて、支持要素は吸引ハウジング内部で、所望の案内が達成される旋回位置へ旋回させることもできる。
【００４２】
上に開示した実施態様を組み合わせて、開示された必要な特徴を備えた所望の解決手段を形成することができる。
【００４３】
添付の図面においていくつかの実施態様を詳述する。
【図面の簡単な説明】
【００４４】
【図１】穴明けユニットを備えた岩石穴明けリグを示す側面図である。
【図２】吸引ハウジング及び支持体を備えた送りビームの前部を概略的に示す側面図である。
【図３】図３は、支持体をアイドル位置で示す概略図である。
【図４】図４は、図３と同じ支持体を作業支持位置で示す概略図である。
【図５】図５は、アイドル位置にある支持体を、穴明け工具の長手方向で見た状態で示す概略図である。
【図６】図６は、支持位置にある支持体を、穴明け工具の長手方向で見た状態で示す概略図である。
【図７】図７は、支持体の旋回メカニズムを示す概略図である。
【図８】図８は、支持体の旋回メカニズムを示す概略図である。
【図９】図９は、吸引ハウジングを送りビームの前端部から見た状態で示す概略図であって、吸引ハウジング内部で支持要素がアイドル位置にある図である。
【図１０】図１０は、吸引ハウジングを送りビームの前端部から見た状態で示す概略図であって、吸引ハウジング内部で支持要素が支持位置にある図である。
【図１１】図１１は、支持体を上方から見て示す概略図であって、支持体が、支持位置とアイドル位置との間で旋回可能にされた２つの支持プレートを含む図である。
【図１２】図１２は、図１１に示された支持体を概略的に示す側面図である。
【図１３】図１３は、送りビームの前部を概略的に示す側面図であって、送りビームが定置の支持体と、支持体に対して相対運動可能な吸引ハウジングとを備えた図である。
【図１４】図１４は、穴明け工具の長手方向で見た支持体を示す概略図であって、支持体の支持要素の支持位置を示す図である。
【図１５】図１５は、穴明け工具の長手方向で見た支持体を示す概略図であって、支持体の支持要素のアイドル位置を示す図である。
【発明を実施するための形態】
【００４５】
明確にするために、図面は、開示された解決手段のいくつかの実施態様を単純な形で示している。図中、同様の符号は同様の要素を指定する。
【００４６】
図１は、岩石穴明けユニット２を含む岩石穴明けリグ１を示す。岩石穴明けユニット２はブーム３によって可動キャリア４に結合されていてよい。穴明けユニット２は送りビーム５と送りビーム上に支持された岩石穴明け機械６とを含んでいてよい。岩石穴明け機械６は送り装置７によって送りビーム５上で運動させることができる。岩石穴明け機械６は、工具９を結合するために岩石穴明け機械６の前端部にシャンク８を含んでいる。工具９は１つ又は２つ以上のドリルロッド１０と、工具９の遠位端に配置されたドリルビット１１とを含んでいてよい。岩石穴明け機械６はさらに、シャンク８とシャンク８に結合された工具９とを回転させるための回転装置１２を含んでいる。岩石穴明けが工具の回転Ｒ及び送りＦに基づいて行われる場合、穴明けは回転穴明けと呼ばれる。しかし、岩石穴明け機械６は、工具９への衝撃パルスを生成するための衝撃装置又はパーカッション装置１３を含んでもよい。岩石穴明け機械６がパーカッション装置１３を備えていて、パーカッション装置１３が工具９の、ドリルビット１１とは反対側の端部に配置されている場合、穴明けはトップハンマー穴明けと呼ばれる。
【００４７】
穴明け現場では、１つ又は２つ以上のドリル穴１４を穴明けユニット２を用いて掘削する。ドリル穴１４は、図１に示されているように鉛直方向に、或いは水平方向又は角度付き方向に掘削することができる。ドリル穴１４は岩石又は土壌に掘削されてよい。
【００４８】
穴明け中にはダスト及び掘削破砕片が形成される。このために、岩石穴明けリグ１は、ドリル穴・フラッシング・システムを備えている。このシステムにより、フラッシング流体が穴明け工具９を通ってドリル穴１４へ供給されるのが可能になる。岩石穴明けリグ１は、生成されたダストをドリル穴１４の開口から取り除くためのダスト捕集システムを含んでいてもよい。送りビーム５の前部５ａには吸引ハウジング１５が位置している。吸引ハウジング内部には吸引ライン１６を通して負圧が形成される。ダストは吸引ライン１６を通ってキャリア４へ搬送され、そこで粒子が空気から分離される。吸引ハウジング１５は吸引ライン１６を接続するための放出ポート１７を含んでいる。図から明らかなように、穴明け工具９は吸引ハウジング１５を貫通している。送りビーム５の最も前側の端部には接触要素１８が配置されている。この接触要素によって、送りビーム５は、被穴明け面に支持される。少なくとも送りビーム５及び接触要素１８は送りビーム集成体１９を形成する。
【００４９】
岩石穴明けユニット２は、送りビーム５の前部５ａで工具９を支持するための支持体Ｓを含んでいる。支持体Ｓは、図１に示されているように、接触要素１８と吸引ハウジング１５の上端部との間に配置されている。支持体が点線で示された位置２０にあるならば、支持体は送りビーム集成体１９の最も前側の端部から比較的長い距離を置いて配置され、これにより適切な支持は達成されない。
【００５０】
図２は送りビーム５の前部５ａを示している。送りビーム５に対して相対運動可能に吸引ハウジング１５を配置することができる。吸引ハウジング１５はクレイドル２１に取り付けることができる。クレイドル２１は送りビーム５に支持される。クレイドル２１はシリンダ２２によって動かすことができる。送りビーム５の位置決め中に、吸引ハウジング１５は上側位置にあってよく、穴明け中には下側位置にあってよい。吸引ハウジング１５内部には、支持体Ｓの支持要素ＳＥが配置されている。支持体Ｓは吸引ハウジング１５に沿って動いてよい。支持要素ＳＥはアクチュエータ２３によって作動させることができる。アクチュエータは例えばシリンダであってよい。アクチュエータ２３は、転移要素２４を介して支持要素ＳＥの作業に影響を与えることができる。転移要素２４は例えばクランク機構を含んでいてもよい。吸引ハウジングＳは、穴明け機械に面する上側の第１開口２５と、被穴明け面に面する下側の第２開口２６とを有している。工具は開口２５及び２６を貫通する。支持要素ＳＥは、吸引ハウジング１５の内面によって形成された空間内部に配置されている。さらに、図２に示されているように、支持要素ＳＥは、軸方向で見て吸引ハウジング１５の上側の第１開口２５と下側の第２開口２６との間に配置されている。
【００５１】
図３は、スリーブ状の支持要素ＳＥを含む支持体Ｓを示している。支持要素ＳＥは、回転軸２７を中心として旋回させることができる。回転軸２７は吸引ハウジング又は任意の他の支持構造に支持することができる。支持要素ＳＥは、アクチュエータ２３及び転移要素２４によって旋回させることができる。支持要素ＳＥは、図３にはアイドル位置ＩＰで示され、そして図４には作業支持位置ＳＰで示されている。スリーブ状の支持要素ＳＥは、円筒形側面２８とリング形の前面２９と端面３０とを含む。支持要素ＳＥはまた第１接触面３１ａと第２接触面３１ｂとを備えている。これらの接触面は互いに対向する側に配置されている。側面２８は第１開口３２ａと第２開口３２ｂとを有している。第１開口３２ａは前面２９に向かって開いていて、第２開口３２ｂは後面３０に向かって開いている。第１開口３２ａの底部は第１接触面３１ａとして役立ち、第２開口３２ｂの底部は第２接触面３１ｂとして役立つ。アイドル位置ＩＰにおいて、スリーブ状の支持要素ＳＥは水平方向位置にあり、穴明け工具９はこれを貫通する。接触面３１ａ及び３１ｂは、穴明け工具９から離れる方向に向いている。支持要素ＳＥを、図４に示された鉛直方向位置に旋回させることができ、これにより、接触面３１ａ及び３１ｂは穴明け工具９の外面に接近させられる。穴明け工具９はこの場合、第１開口３２ａ及び第２開口３２ｂを貫通する。アクチュエータ２３は液圧シリンダであってよく、シリンダの生成された直線運動は、転移要素２４として役立つクランク機構によって回転運動に変換することができる。
【００５２】
図５〜８には、支持体Ｓが他の方向から見た状態で示されている。支持体の特徴及び操作は上記の通りである。
【００５３】
図９及び１０において、支持体Ｓは吸引ハウジング１５の構造に一体化されている。支持体Ｓの支持要素ＳＥは吸引ハウジング１５内部に配置されている。図９及び１０にはアイドル位置ＩＰ及び支持位置ＳＰが示されている。吸引ハウジング１５は、スライド要素３３によって送りビームに支持することができる。
【００５４】
図１１は、２つの別個の支持要素ＳＥ１及びＳＥ２を含む別の支持体Ｓを示している。これらの支持要素はプレート状物体であり、横方向回転軸２７に対して旋回させることが可能である。支持要素ＳＥ１及びＳＥ２の前端部は湾曲した接触面３１ａ及び３１ｂを備えている。支持要素３１ａ及び３１ｂは、アクチュエータによって旋回させることができる。アクチュエータは例えば液圧モータ又は電動モータであってよい。
【００５５】
図１２は、図１１の支持体Ｓを側方から示している。アイドル位置ＩＤは点線によって示されている。支持体には吸引ハウジング１５が結合されていてよい。この吸引ハウジングも点線で示されている。吸引ハウジング１５は支持体Ｓと一緒に直線運動するように配置されていてよく、或いは吸引ハウジング１５だけが動き、支持体Ｓは動かされないようにすることもできる。図１２はさらに、吸引ハウジングの上端部に、放出ポート１７に向かって吸引流を導くためのガイドプレート３４を配置し得ることを示している。
【００５６】
図１３に開示された解決手段では、支持体Ｓが吸引ハウジング１５と一緒に動かされることはない。むしろ支持体Ｓは好適な支持ブラケット３５によって送りビームの下側部分５ａに支持される。支持体Ｓは任意の好適な基礎構造を有してよい。少なくともカラーリング及び通常穴明けの期間中、吸引ハウジング１５は、被穴明け面に向かって動かされ、その結果として、吸引ハウジング１５はスライドして支持体Ｓに被さり、これを取り囲むことになる。吸引ハウジング１５の下端部には可撓性部分３６が位置していてよい。可撓性部分は吸引ハウジング１５と表面との間のギャップをシールする。可撓性部分３６を異なる形状に成形して、支持体Ｓに対する吸引ハウジング１５の相対運動を可能にすることもできる。
【００５７】
図１４及び１５には、２つの支持要素ＳＥ１及びＳＥ２を備えた更なる支持体Ｓが、著しく単純化された形で示されている。これらの支持要素は工具９に対して横方向に直線運動させられる。
【００５８】
図面及び関連の説明は本発明の着想を例示するために意図されているにすぎない。本発明の詳細は、特許請求の範囲内で変化することがある。
【符号の説明】
【００５９】
１５    吸引ハウジング
２３    アクチュエータ
３１，３１ａ，３１ｂ    接触面
ＳＰ    支持位置
ＩＰ    アイドル位置
ＳＥ    支持要素
Ｓ    支持体
【図１】
0005932958.tif 000002
【図２】
0005932958.tif 000003
【図３】
0005932958.tif 000004
【図４】
0005932958.tif 000005
【図５】
0005932958.tif 000006
【図６】
0005932958.tif 000007
【図７】
0005932958.tif 000008
【図８】
0005932958.tif 000009
【図９】
0005932958.tif 000010
【図１０】
0005932958.tif 000011
【図１１】
0005932958.tif 000012
【図１２】
0005932958.tif 000013
【図１３】
0005932958.tif 000014
【図１４】
0005932958.tif 000015
【図１５】
0005932958.tif 000016